(57)【要約】【課題】遊びながら力学の分野の学習ができるトランプカードを提供する。【解決手段】カードのフェイスの左サイド及び右サイドに、スーツのマークとそのカードのランクを表す数字又は記号とを組み合わせたインデックス２０が表示されたトランプカードであって、スーツは４種類で、スーツの各々は、力学に関する異なる物理量に対応し、同一スーツのカードは１３枚であり、ランクを表す数字又は記号の各々は、力学に関する物理量の単位の異なる接頭辞３０に対応し、フェイスには、スーツに対応する物理量であって、接頭辞によって作成される単位の物理量に関連する情報４０が表示されている。このトランプカードは通常のトランプと同様の遊び方ができる。【選択図】図１
2019042035.tif 000002
【特許請求の範囲】
【請求項１】
カードのフェイスの左サイド及び右サイドに、スーツのマークと該カードのランクを表す数字又は記号とを組み合わせたインデックスが表示されたトランプカードであって、
前記マークの異なるスーツは、４種類あり、
前記４種類のスーツの各々は、力学に関する異なる物理量に対応し、
前記スーツのマークが同一である前記トランプカードの枚数は、１３枚であり、
前記１３枚のトランプカードの各々に表示された前記ランクを表す数字又は記号は、全て異なっており、
前記ランクを表す数字又は記号の各々は、力学に関する物理量の単位の異なる接頭辞に対応し、
前記フェイスには、前記スーツに対応する力学に関する物理量であって、前記接頭辞によって作成される単位の物理量に関連する情報が表示されている、
ことを特徴とするトランプカード。
【請求項２】
請求項１に記載のトランプカードであって、
前記スーツの第一の種類は、長さ、速度、加速度等、メートル（ｍ）を含む単位で表される物理量に対応し、
前記スーツの第二の種類は、質量、密度等、キログラム（ｋｇ）またはグラム（ｇ）を含む単位で表される物理量に対応し、
前記スーツの第三の種類は、力、圧力、力のモーメント等、ニュートン（Ｎ）を含む単位で表される物理量に対応し、
前記スーツの第四の種類は、仕事、エネルギー、仕事率等、ジュール（Ｊ）を含む単位で表される物理量に対応することを特徴とするトランプカード。
【発明の詳細な説明】
【技術分野】
【０００１】
本発明は、遊びながら力学の知識が習得できるトランプカードに関する。
【背景技術】
【０００２】
一般的なトランプカードは、良く知られているように、スペード、ハート、クラブ及びダイヤの４種類のスーツ（組）から成り、各スーツは１３枚の札で構成されている。
スーツが表示されたトランプカードの表面はフェイスと呼ばれ、同一模様が表示されたカードの裏面はバックと呼ばれる。また、カードの長辺側はサイド（左サイド、右サイド）と呼ばれ、短辺側はエンド（前エンド、後エンド）と呼ばれる。
【０００３】
通常のトランプカードには、フェイスの左サイドの上方及び右サイドの下方に、各カードのスーツのマークと、そのカードのランクを表す数字（２〜１０）又は記号（Ａ、Ｊ、Ｑ，Ｋ）とを組合わせたインデックスが表示され、フェイスの中央部分に、ランクが１〜１０のカードでは、ランクの数のスーツの図形が表示され、また、ランクが１１、１２、１３のカードでは、王子、王妃、王様の図形がそれぞれ表示されている。この１１、１２、１３のカードは絵札と呼ばれる。
【０００４】
本発明者は、これまで、遊びながら科学技術を学ぶトランプとして、生物分野のＤＮＡの学習ができるトランプを下記特許文献１で、化学分野の元素周期律の学習ができるトランプを下記特許文献２で、また、電気の基本法則が学習できるトランプを下記特許文献３で提案している。
こうしたトランプを通じて子供から大人までがカードゲームを楽しみながら科学の基礎知識を吸収し、それにより国民全般の科学技術マインドが高まることを期待している。
【先行技術文献】
【特許文献】
【０００５】
【特許文献１】特開２０１５−０３３４０１号公報
【特許文献２】特開２０１６−０７７３６８号公報
【特許文献３】特開２０１７−１０４３４５号公報
【発明の概要】
【発明が解決しようとする課題】
【０００６】
今回、遊びながら学習できるゲーム用カードとして、力学の分野の学習を目的とするトランプカードを提案する。
力学に関する物理量の基本は「長さ」「質量」「時間」であり、国際単位系（ＳＩ）では、長さの次元を［Ｌ］、質量の次元を［Ｍ］、時間の次元を［Ｔ］で表している。
また、ＳＩでは、長さの基本単位をメートル（ｍ）、質量の基本単位をキログラム（ｋｇ）、時間の基本単位を秒（ｓ）と定めている。
【０００７】
力学に関するその他の物理量は「長さ」「質量」「時間」の組み合わせからできており、その物理量は、「ＳＩ組立単位」と呼ばれる、基本単位を組み合わせた単位や、他のＳＩ組立単位を組み合わせた単位によって表される。
例えば、「速度」は「長さ」／「時間」であり、次元は［ＬＴ-1］である。速度を表すＳＩ組立単位はｍ／ｓである。「加速度」は「速度」／「時間」であり、次元は［ＬＴ-2］である。加速度を表すＳＩ組立単位はｍ／ｓ2である。
また、「密度（体積密度）」は「質量」／「体積」であり、次元は［ＭＬ-3］である。密度を表すＳＩ組立単位はｋｇ／ｍ3である。
【０００８】
「力」は、ニュートンの運動方程式から「質量」×「加速度」であり、次元は［ＭＬＴ-2］である。力の単位にはＮ（ニュートン）が用いられる。１Ｎは１ｋｇの質量の物体に１ｍ／ｓ2の加速度を生じさせる力として定義されている。圧力は「力」／「面積」であり、次元は［ＭＬ-1Ｔ-2］である。圧力を表すＳＩ組立単位はＮ／ｍ2であり、この単位に対してＰａ（パスカル）という名称が与えられている。１Ｐａは１平方メートル（ｍ2）の面積に１Ｎの力が作用する圧力である。「力のモーメント」は「力」×「回転半径」であり、次元は［ＭＬ2Ｔ-2］である。力のモーメントを表すＳＩ組立単位はニュートンメートル（Ｎ・ｍ）である。
【０００９】
「仕事」は「力」×「力を受けた方向への移動距離」であり、次元は［ＭＬ2Ｔ-2］である。他の物体に対して仕事をする能力が「エネルギー」である。仕事とエネルギーの単位にはジュール（Ｊ）が用いられる。１Ｊは１Ｎの力がその力の方向に物体を１ｍ動かすときの仕事として定義されている。「仕事率」は「仕事」／「時間」で表される仕事又はエネルギーの時間変化であり、次元は［ＭＬ2Ｔ-3］である。仕事率を表すＳＩ組立単位はＪ／ｓであり、この単位に対してワット（Ｗ）という名称が与えられている。１Ｗは毎秒１Ｊに等しいエネルギーを生じさせる仕事率である。
【００１０】
また、ＳＩでは、ＳＩ単位の十進の倍量や分量の単位を作成するため、次のような接頭辞が定められている。
（接頭辞）    （記号）  （接頭辞が表す乗数）
アト          ａ          １０-18
フェムト      ｆ          １０-15
ピコ          ｐ          １０-12
ナノ          ｎ          １０-9
マイクロ      μ          １０-6
ミリ          ｍ          １０-3
センチ        ｃ          １０-2
デシ          ｄ          １０-1
デカ        ｄａ          １０1
ヘクト        ｈ          １０2
キロ          ｋ          １０3
メガ          Ｍ          １０6
ギガ          Ｇ          １０9
テラ          Ｔ          １０12 
ペタ          Ｐ          １０15
エクサ        Ｅ          １０18
【００１１】
本発明は、遊びながら、こうした力学の世界に関心を抱き、興味を持つことができるトランプカードを提供することを目的としている。
【課題を解決するための手段】
【００１２】
本発明は、カードのフェイスの左サイド及び右サイドに、スーツのマークとそのカードのランクを表す数字又は記号とを組み合わせたインデックスが表示されたトランプカードであって、マークの異なるスーツは、４種類あり、４種類のスーツの各々は、力学に関する異なる物理量に対応し、スーツのマークが同一であるトランプカードの枚数は、１３枚であり、この１３枚のトランプカードの各々に表示されたランクを表す数字又は記号は、全て異なっており、ランクを表す数字又は記号の各々は、力学に関する物理量の単位の異なる接頭辞に対応し、フェイスには、スーツに対応する力学に関する物理量であって、接頭辞によって作成される単位におおよそ該当する物理量に関連する情報が表示されている、ことを特徴とする。
このトランプカードは、スーツが４種類で、各スーツの枚数が１３枚であり、通常のトランプと同様の遊び方ができる。
【００１３】
また、本発明のトランプカードでは、スーツの第一の種類は、長さ、速度、加速度等、メートル（ｍ）を含む単位で表される物理量に対応し、スーツの第二の種類は、質量、密度等、キログラム（ｋｇ）またはグラム（ｇ）を含む単位で表される物理量に対応し、スーツの第三の種類は、力、圧力、力のモーメント等、ニュートン（Ｎ）を含む単位で表される物理量に対応し、スーツの第四の種類は、仕事、エネルギー、仕事率等、ジュール（Ｊ）を含む単位で表される物理量に対応している。
そのため、このトランプカードで遊びながら、力学に関する幅広い知識を吸収することができる。
【発明の効果】
【００１４】
本発明のトランプカードは、馴染みのある通常のトランプのゲームを行うことが可能であり、子供から大人までが、そうした遊びを通じて力学に対する関心を深めることができる。
【図面の簡単な説明】
【００１５】
【図１】本発明の実施形態に係るトランプカードの（ａ）ダイヤの２と、（ｂ）クラブの７を示す図
【図２】（ａ）ハートの９と、（ｂ）スペードの１１を示す図
【図３】ハートの１、２、３を示す図
【図４】スペードの４、５、６を示す図
【図５】ダイヤの７、８、９を示す図
【図６】クラブの１０、１１、１２を示す図
【図７】クラブの１３を示す図
【発明を実施するための形態】
【００１６】
本発明の実施形態のトランプカードでは、次元が［Ｌ］の長さ、次元が［ＬＴ-1］の速度、及び、次元が［ＬＴ-2］の加速度等、次元が「Ｌ」又は「ＬＴ」を含み、Ｔの次数が異なる物理量に対してダイヤのスーツを割り当てている。これらの物理量は、「基本単位のメートル（ｍ）」あるいは「ｍを含むＳＩ組立単位」で表される物理量でもある。
また、次元が［Ｍ］の質量、次元が［ＭＬ-2］の面密度、次元が［ＭＬ-3］の体積密度等、次元が「Ｍ」又は「ＭＬ」を含み、Ｌの次数が異なる物理量に対してクラブのスーツを割り当てている。これらの物理量は、「基本単位のキログラム（ｋｇ）またはグラム（ｇ）」あるいは「ｋｇまたはｇを含むＳＩ組立単位」で表される物理量でもある。
また、次元が［ＭＬＴ-2］の力、次元が［ＭＬ-1Ｔ-2］の圧力、及び、次元が［ＭＬ2Ｔ-2］の力のモーメント等、次元が「ＭＬＴ-2」を含み、Ｌの次数が異なる物理量に対してスペードのスーツを割り当てている。これらの物理量は、「ニュートン（Ｎ）を含むＳＩ組立単位」で表される物理量でもある。
また、次元が［ＭＬ2Ｔ-2］のエネルギー（仕事）、及び、次元が［ＭＬ2Ｔ-3］の仕事率等、次元が「ＭＬ2Ｔ」を含み、Ｔの次数が異なる物理量に対してハートのスーツを割り当てている。これらの物理量は、「ジュール（Ｊ）を含むＳＩ組立単位」で表される物理量でもある。
【００１７】
また、各スーツのカードは、通常のトランプと同様に、ランク１からランク１３までの１３枚で構成し、各ランクのそれぞれに接頭辞を次のように対応付けている。
ランク１              アト（ａ）    （接頭辞が表す乗数：１０-18）
ランク２          フェムト（ｆ）    （接頭辞が表す乗数：１０-15）
ランク３              ピコ（ｐ）    （接頭辞が表す乗数：１０-12）
ランク４              ナノ（ｎ）    （接頭辞が表す乗数：１０-9）
ランク５          マイクロ（μ）    （接頭辞が表す乗数：１０-6）
ランク６              ミリ（ｍ）    （接頭辞が表す乗数：１０-3）
ランク７                            （乗数：１０0＝１）
ランク８              キロ（ｋ）    （接頭辞が表す乗数：１０3）
ランク９              メガ（Ｍ）    （接頭辞が表す乗数：１０6）
ランク１０            ギガ（Ｇ）    （接頭辞が表す乗数：１０9）
ランク１１            テラ（Ｔ）    （接頭辞が表す乗数：１０12）
ランク１２            ペタ（Ｐ）    （接頭辞が表す乗数：１０15）
ランク１３          エクサ（Ｅ）    （接頭辞が表す乗数：１０18）
また、通常のトランプと同様に、ランク１をＡで表し、ランク１１をＪ、ランク１２をＱ，ランク１３をＫで表している。
【００１８】
図１、図２は、本発明の実施形態に係るトランプカードを示している。図１（ａ）は、ダイヤのランク２のカードを示している。このカードのフェイスの左サイド及び右サイドには、ランクを示す２の数字とダイヤのマークとを組み合わせたインデックス２０が表示され、インデックスのダイヤの中には、長さの単位であるｍ（メートル）が表示されている。フェイスの下方には、ランク２に対応する接頭辞３０が「１０-15：フェムト（ｆ）」と表示され、フェイスの中央には、ダイヤのスーツに割り当てた物理量の単位に１０-15を乗じて作成される単位で表される長さにおおよそ該当する情報４０が表示されている。
【００１９】
図１（ｂ）は、クラブのランク７のカードを示している。このカードのフェイスの左サイド及び右サイドには、ランクを示す７の数字とクラブのマークとを組み合わせたインデックスが表示され、インデックスのクラブの中には、質量の単位であるｋｇが表示されている。フェイスの下方には、単位に乗じる値１が表示され、フェイスの中央には、クラブのスーツに割り当てた物理量の１単位で表される質量に関連する情報が表示されている。
【００２０】
図２（ａ）は、ハートのランク９のカードを示している。このカードのフェイスの左サイド及び右サイドには、ランクを示す９の数字とハートのマークとを組み合わせたインデックスが表示され、インデックスのハートの中には、エネルギーの単位であるＪ（ジュール）が表示されている。フェイスの下方には、ランク９に対応する接頭辞が「１０6：メガ（Ｍ）」と表示され、フェイスの中央には、ハートのスーツに割り当てた物理量の単位に１０6を乗じて作成される単位で表される仕事率におおよそ該当する情報が表示されている。
【００２１】
また、図２（ｂ）は、スペードのランク１１のカードを示している。このカードのフェイスの左サイド及び右サイドには、ランクを示すＪの文字とスペードのマークとを組み合わせたインデックスが表示され、インデックスのスペードの中には、力の単位であるＮ（ニュートン）が表示されている。フェイスの下方には、ランク１１に対応する接頭辞が「１０12：テラ（Ｔ）」と表示され、フェイスの中央には、スペードのスーツに割り当てた物理量の単位に１０12を乗じて作成される単位で表される力におおよそ該当する情報が表示されている。
【００２２】
また、図３には、ハートのランク１、２、３のカードを示している。ランク１のカードには、１０-18Ｊにおおよそ該当するエネルギーの情報が記載され、ランク２のカードには、１０-15Ｊにおおよそ該当するエネルギーの情報が記載され、また、ランク３のカードには、１０-12Ｊにおおよそ該当するエネルギーの情報が記載されている。
【００２３】
図４には、スペードのランク４、５、６のカードを示している。ランク４のカードには、１０-9Ｎにおおよそ該当する力の情報が記載され、ランク５のカードには、１０-6Ｎにおおよそ該当する力の情報が記載され、また、ランク６のカードには、１０-3Ｎ・ｍにおおよそ該当する力のモーメントの情報が記載されている。
【００２４】
図５には、ダイヤのランク７、８、９のカードを示している。ランク７のカードには、１ｍ／ｓ2におおよそ該当する加速度の情報が記載され、ランク８のカードには、１０3ｍ／ｓにおおよそ該当する速度の情報が記載され、また、ランク９のカードには、１０6ｍにおおよそ該当する長さの情報が記載されている。
【００２５】
図６及び図7には、クラブのランク１０、１１、１２、１３のカードを示している。ランク１０のカードには、１０9ｋｇにおおよそ該当する質量の情報が記載され、ランク１１のカードには、１０12ｋｇにおおよそ該当する質量の情報が記載され、ランク１２のカードには、１０15ｋｇにおおよそ該当する質量の情報が記載され、また、ランク１３のカードには、１０18ｋｇにおおよそ該当する質量の情報が記載されている。
【００２６】
こうしたフェイス面の表示は、トランプゲームの参加者の目に触れる。参加者は、表示された情報を見て、力学への興味や関心が呼び起こされる。
なお、各スーツに対応する物理量は、ここで提示したものに限る必要はない。また、スーツの各々に対して１種類の物理量を対応させても良いし、関連する複数の物理量を対応させても良い。
また、各ランクに対応する接頭辞は、ここで提示したものに限る必要はない。
【産業上の利用可能性】
【００２７】
本発明のトランプカードは、子供から大人までがゲームを楽しみながら力学の知識を深めることが可能であり、国民全般の科学技術マインドを高めるために広く用いることができる。
【符号の説明】
【００２８】
２０  インデックス  
３０  接頭辞とそれが表す乗数
４０  該当する単位の物理量に関連する情報
【図１】
2019042035.tif 000003
【図２】
2019042035.tif 000004
【図３】
2019042035.tif 000005
【図４】
2019042035.tif 000006
【図５】
2019042035.tif 000007
【図６】
2019042035.tif 000008
【図７】
2019042035.tif 000009